(57)【要約】【課題】異なるシステムと異なるプラットフォームで設計された機器間の情報の中の、特にユーザーインターフェースに関する部分を容易に実現可能とする。【解決手段】表示装置１０１は被操作装置１０２、操作装置１０３から情報伝達手段１０４，１０５を用いて入手した表示内容を自らの表示部に表示する機能を有し、被操作装置１０２は、表示内容を表示装置１０１に通知する機能を有し、操作装置１０３は、操作行為の操作情報を検出し、検出した操作情報を表示装置１０１に伝達する機能を有し、表示装置１０１は、伝達された操作情報を被操作装置１０３へ伝達する機能を有する。【選択図】  図１
2004201215.tif 000002
【特許請求の範囲】
【請求項１】
他の機能装置から情報伝達手段を用いて入手した表示内容を自らの表示部に表示する機能を有することを特徴とする表示装置。
【請求項２】
表示内容を請求項１に記載の表示装置に通知する機能を有することを特徴とする被操作装置。
【請求項３】
操作行為の操作情報を検出し、検出した操作情報を請求項１に記載の表示装置に伝達する機能を有することを特徴とする操作装置。
【請求項４】
請求項３に記載の操作装置からの操作情報を、変換もしくは非変換で請求項２に記載の被操作装置へ伝達する機能を有することを特徴とする請求項１に記載の表示装置。
【請求項５】
操作装置の操作条件の一部もしくは全てを、被操作装置に提示する機能を有することを特徴とする請求項１に記載の表示装置。
【請求項６】
請求項５に記載の表示装置の提示する操作条件を判定し、操作条件と対応させた表示内容を前記表示装置に伝達する機能を有することを特徴とする請求項２に記載の被操作装置。
【請求項７】
請求項６に記載の被操作装置の表示要求に従って、表示を構成する機能を有することを特徴とする請求項１に記載の表示装置。
【請求項８】
選択と決定の機能を操作者に明示するために必要な２個以上の数の操作選択子を持つことを特徴とする請求項３に記載の操作装置。
【請求項９】
選択と決定の機能を操作者に明示するために必要な２個以上の数の選択表現を持つことを特徴とする請求項１、４、５または７のいずれかに記載の表示装置。
【請求項１０】
直接あるいは間接的に情報を伝達する手段を有することを特徴とする請求項１、４、５、７または９のいずれかに記載の表示装置。
【請求項１１】
直接的あるいは間接的に情報を伝達する手段を有することを特徴とする請求項２または６に記載の被操作装置。
【請求項１２】
１以上の複数のランク付けされた表示能力を有することを特徴とする請求項１、４、５、７または９のいずれかに記載の表示装置。
【請求項１３】
１以上の複数のランク付けされた表示要求能力を有することを特徴とする請求項２または６に記載の被操作装置。
【請求項１４】
前記表示能力のランクは、ランクごとに定義される表示の為に用いられ、あるいは参照される表現制約事項を含み、少なくとも２個以上の選択表現を持つことを特徴とする請求項１２に記載の表示装置。
【請求項１５】
前記表示要求能力のランクは、ランクごとに定義される表示の為に用いられ、あるいは参照される表現制約事項を含み、少なくとも２個以上の選択表現を持つことを特徴とする請求項１３に記載の被操作装置。
【請求項１６】
請求項１２に記載の表示装置の表示能力の所有するランクと請求項１３に記載の被操作装置の表示要求能力の所有するランクが、一致するランクであれば、そのランクに基づいた被操作装置の表示要求を満足するように表示可能とする手段を有することを特徴とする表示装置。
【請求項１７】
その所有する表現能力を上回らない範囲で相当の定められたランクの表現能力であることを提示する手段を有することを特徴とする請求項１２または１６に記載の表示装置。
【請求項１８】
請求項１７に記載の表示装置の提示する表現力ランクに応じて、表示要求内容を変化させることが可能であることを特徴とする請求項２または６に記載の被操作装置。
【請求項１９】
複数の表示要求内容を構成する機能を有することを特徴とする請求項１８に記載の被操作装置。
【請求項２０】
操作装置と表示装置とは別に、第２の操作手段を備えたことを特徴とする請求項２、６または１９のいずれかに記載の被操作装置。
【請求項２１】
選択情報と伝達情報を区別して表示レイアウトするフォームをもつ表示指定機能を備えたランクを備えたことを特徴とする請求項１２、１４または１６のいずれかに記載の表示装置。
【請求項２２】
請求項１３、１５、１８、１９または２０のいずれかに記載の被操作装置と請求項１２、１４、１６、１７または２１のいずれかに記載の表示装置との間に表示変換装置を配置したことを特徴とするユーザーインターフェースシステム。
【請求項２３】
前記表示変換装置は、前記被操作装置の表示要求内容ランクと前記表示装置の表示能力ランクが不整合な場合に表示変換する機能を有することを特徴とする請求項２２記載のユーザーインターフェースシステム。
【請求項２４】
請求項２、３または８のいずれかに記載の操作装置の操作部と請求項１２、１４、１６、１７または２１のいずれかに記載の表示装置の表示部を備えた操作表示装置と、請求項１３、１５、１８、１９または２０のいずれかに記載の被制御装置との間に通信中継装置が配置され、前記操作表示装置は前記通信中継装置と通信を行い、前記通信中継装置は前記被制御装置と通信を行い、前記操作表示装置と前記被制御装置は前記ランク情報を前記通信中継装置を経由して行うことを特徴とするユーザーインターフェースシステム。
【請求項２５】
前記操作表示装置は移動体通信装置であることを特徴とする請求項２０に記載のユーザーインターフェースシステム。
【請求項２６】
前記通信中継装置が更に複数の通信中継装置を連結して構成されることを特徴とする請求項２４または２５に記載のユーザーインターフェースシステム。
【請求項２７】
前記通信中継装置の少なくとも一つがパーソナルコンピュータであることを特徴とする請求項２４から２６のいずれかに記載のユーザーインターフェースシステム。
【請求項２８】
前記通信中継装置の少なくとも一つが情報処理装置であることを特徴とする請求項２４から２６のいずれかに記載のユーザーインターフェースシステム。
【請求項２９】
前記通信中継装置の少なくとも一つがセットトップボックスであることを特徴とする請求項２４から２６のいずれかに記載のユーザーインターフェースシステム。
【請求項３０】
前記通信中継装置の少なくとも一つがホームゲートウェイであることを特徴とする請求項２４から２６のいずれかに記載のユーザーインターフェースシステム。
【請求項３１】
１以上の複数のランク付けされた表示要求能力を有する被操作装置から情報伝達手段を用いて入手した表示内容を自らの表示部に表示する機能を有するとともに、１以上の複数のランク付けされた表示能力を有し、
前記表示能力のランクと前記被操作装置の表示要求能力のランクとが一致すれば、そのランクに基づいた前記被操作装置の表示要求を満足するように表示可能とする手段を有することを特徴とする表示装置。
【請求項３２】
他の機能装置から情報伝達手段を用いて入手した表示内容を自らの表示部に表示する機能を有するとともに、１以上の複数のランク付けされた表示能力を有し、かつその所有する表現能力を上回らない範囲で相当の定められたランクの表現能力であることを提示する手段を有する表示装置に、表示内容を通知する機能を有し、
前記表示装置の提示する表現力ランクに応じて、表示要求内容を変化させることが可能であることを特徴とする被操作装置。
【請求項３３】
他の機能装置から情報伝達手段を用いて入手した表示内容を自らの表示部に表示する機能を有するとともに、１以上の複数のランク付けされた表示能力を有し、かつその所有する表現能力を上回らない範囲で相当の定められたランクの表現能力であることを提示する手段を有し、さらに選択情報と伝達情報を区別して表示レイアウトするフォームをもつ表示指定機能を備えたランクを備えた表示装置に、表示内容を通知する機能を有し、
前記表示装置の提示する表現力ランクに応じて、表示要求内容を変化させることが可能であり、
さらに、複数の表示要求内容を構成する機能と、操作装置と表示装置とは別の第２の操作手段とを備えたことを特徴とする被操作装置。
【発明の詳細な説明】
【０００１】
【発明の属する技術分野】
本発明は、通信で結合された装置間でユーザーインターフェースを代替する仕組みを有する表示装置、被操作装置、操作装置およびユーザーインターフェースシステムに関する。
【０００２】
【従来の技術】
装置固有の情報を表示したり、装置に指示を入力したりする、いわゆるユーザーインターフェース（以下、「ＵＩ」と称す。）機能を構成する場合、従来は以下のような方法が用いられている。
【０００３】
第１の方法は、装置に結合された操作手段と表示手段を纏める制御手段によって管理された閉じたシステムによるものである。
【０００４】
第２の方法は、コンピュータ装置に代表される、操作手段と、表示手段と、制御手段が通信により結合され、相互に情報交換を行うシステムによるもので、操作手段と表示手段を有するインテリジェントな装置が、被操作装置を制御するために固有のアプリケーションプログラムもしくはアプリケーションプログラムと協調して機能するドライバープログラムを通信やインターフェース（以下、「ＩＦ」と称す。）から入手し、組み込むことで被制御装置の制御を可能とする（例えば、パーソナルコンピュータ（以下、「ＰＣ」と称す。）で凡例化している周辺機器用のドライバーソフトウェア組み込み手法（例えば特許文献１を参照。）や、ＰＣではない家庭用のＡＶ機器や家電品を通信で接続し制御するＨａｖｉ（家庭用オーディオ／ビジュアルイニシアチブ）規格におけるＨａｖｌｅｔ（機器操作アプリケーションプログラム）を組み込む周辺機器制御手段（例えば特許文献２を参照。）など）。
【０００５】
図２５を用いて従来の技術の説明を行う。
【０００６】
図２５の構成は前述の第２の方法にて概要説明したシステムの中の主に表示装置の構成であり、表示装置２５０１は、表示管理プログラム２５０３と、通信プログラム２５０５と、外部に通信で接続されて制御を行うべき対象装置となる被操作装置を認識する被操作装置認識プログラム２５０６と、被操作装置認識プログラム２５０６によって表示装置２５０１内に対象となる被操作装置用の制御用表示プログラム２５０９が存在しない場合に外部のドライバーソフトウェア格納部２５０２から該プログラムを組み込む為のドライバー組み込みエリア２５０８と、複数の制御装置のための制御用表示プログラム（ドライバーソフトウェア）を格納するドライバーソフトウェア格納部２５０７とを有する。
【０００７】
ＰＣに例えると、表示装置２５０１はＣＲＴなどのディスプレイ装置とＰＣ本体部が概ね該当する。表示管理プログラム２５０３は、凡例としてはマイクロソフト社のウインドウズシステムの類である。通信プログラム２５０５は、イーサネット（Ｒ）類である。被操作装置認識プログラム２５０６は、同じくマイクロソフト社の提唱するプラグアンドプレイの類である。ドライバー組み込みエリア２５０８とドライバーソフトウェア格納部２５０７は、同じくマイクロソフト社のウインドウズシステムの中のドライバー管理手法の類である。
【０００８】
上記構成の特徴は、汎用性と拡張性を重視して、制御のための新しい周辺装置が開発されて、既存のＰＣにおいて制御を行おうとした場合に、新しい周辺装置のための制御プログラムは、ＰＣとそのシステムで規定されている規則にしたがって作成されていれば、該プログラムをドライバーソフトウェアとしてＰＣに組み込むことで、所望の新しい周辺装置の制御を可能とするものである。
【０００９】
【特許文献１】
特表２００２−５０１２３８号公報
【特許文献２】
特開２００２−１８３００１号公報
【００１０】
【発明が解決しようとする課題】
家庭の中で従来使用されてきた機器群は、その多くが他の機器との接続や情報伝達を行わない閉じたシステムで使われてきた。例えば、冷蔵庫、洗濯機や電子レンジなどの機器群である。一方、ＰＣに代表される情報処理機器群は、統一されたＯＳやシステムの互換性を保証する仕組みや通信のプロトコルを共通化することで、相互の接続性を実現している。然るに、冷蔵庫とＰＣを接続して情報交換を行おうとすれば、冷蔵庫にはＰＣの世界で受け入れられる通信インターフェースを備えるか、ＰＣ側が冷蔵庫のために特殊な機能を追加する必要がある。同様に、ＰＣの周辺機器であるプリンタとＴＶを接続して情報交換を行おうとすれば、ＴＶがＰＣのような機能を所有することが要求される。このように異なるシステムと異なるプラットフォームで設計された機器間の情報伝達と疎通は困難を極めている。
【００１１】
（特許文献１，および２）に記載のシステムは、ＰＣとは異なる家庭用電気製品群、とりわけ衛星通信を主体とするセットトップボックスやデジタルＴＶ等のインテリジェントな家電品をユーザーインターフェースの主機器に配置し、他のオーディオ機器やビデオ機器等の周辺機器をローカルな通信手段（先例ではＩＥＥＥ１３９４）で結合して、Ｈａｖｉ規格に基づいた周辺機器制御手段を構築している。
【００１２】
Ｈａｖｉ規格では、ＰＣと同様に周辺機器を制御するための専用のプログラムを必要とする。ＰＣでは一般にドライバーソフトウェアと称され、Ｈａｖｉ規格ではＨａｖｌｅｔと呼ばれるユーザーインターフェースソフトウェアである。いずれにおいてもインテリジェントな制御機器が、被制御機器のための固有のアプリケーションプログラムを組み込む方式である。インテリジェントな家電製品に使われるＣＰＵ、メモリやインターフェースなどのハードウェアは、ＰＣの世界とは異なり様々な部品が使われる。Ｈａｖｉでは、このような家電製品特有のハードウェアの多様性を吸収するためにＪａｖａ（Ｒ）言語が用いられている。Ｊａｖａ（Ｒ）言語をアプリケーションプログラムの言語とすることで、家電製品間のユーザーインターフェース用アプリケーションプログラムの機器間互換性を維持する仕組みである。
【００１３】
然るに、ＰＣの世界やＨａｖｉで結合される仕組みは、以下のような潜在的な課題を含んでいる。
【００１４】
１）インテリジェントな機器はローカルなネットワークに接続される被制御機器が増えると、制御用のドライバーやＨａｖｌｅｔを組み込むメモリが増える。
【００１５】
２）凝ったユーザーインターフェースを要求するような被制御機器用のアプリケーションプログラムは大きな容量となり、ＵＩを担うインテリジェントな機器のメモリの負担になる。
【００１６】
３）その結果としてインテリジェントな機器として成立するための要求される水準が高くなる。
【００１７】
４）被接続機器が変われば、インテリジェントな機器はアプリケーションプログラムを更新する必要がある。
【００１８】
本発明は、上述したように冷蔵庫、電子レンジや炊飯器などのあまり高度な通信手段を持つ必要のない機器までを視野に入れたユーザーインターフェースの手段とシステムを提供するものである。家電製品の主たる制御が人間と被制御機器との間で行われることに着目して、ユーザーインターフェースの窓口となる機器にはＴＶ等を想定している。また、移動体通信技術の発達で、普及著しい携帯電話に見られる小さな画面とキーを持ったユーザーインターフェース機器となりえる機器群も想定している。本発明は、このように異なるシステムと異なるプラットフォームで設計された機器間の情報の中の、特にユーザーインターフェースに関する部分を、前述の課題を生じることなく容易に実現可能とする表示装置、被操作装置、操作装置およびユーザーインターフェースシステムを提供することを目的とする。
【００１９】
【課題を解決するための手段】
本発明の表示装置は、他の機能装置から情報伝達手段を用いて入手した表示内容を自らの表示部に表示する機能を有する構成としたものである。
【００２０】
本発明によれば、異なるシステムと異なるプラットフォームで設計された機器間のユーザーインターフェースに関する部分を容易に実現することが可能となる。
【００２１】
【発明の実施の形態】
請求項１に記載の発明は、他の機能装置から情報伝達手段を用いて入手した表示内容を自らの表示部に表示する機能を有する表示装置であり、機能的に異なる他の機能装置あるいは物理的に異なる場所にある他の機能装置の表示内容を表示することができるという作用を有する。
【００２２】
請求項２に記載の発明は、表示内容を請求項１に記載の表示装置に通知する機能を有する被操作装置であり、表示内容を請求項１に記載の表示装置に通知し、表示内容を表示装置の表示部に表示することができるという作用を有する。
【００２３】
請求項３記載の発明は、操作行為の操作情報を検出し、検出した操作情報を請求項１に記載の表示装置に伝達する機能を有する操作装置であり、操作装置の操作行為の操作情報を請求項１に記載の表示装置に伝達することができるという作用を有する。
【００２４】
請求項４に記載の発明は、請求項３に記載の操作装置からの操作情報を、変換もしくは非変換で請求項２に記載の被操作装置へ伝達する機能を有する請求項１に記載の表示装置であり、操作装置の操作情報を表示装置経由で被操作装置伝達することができるという作用を有する。
【００２５】
請求項５に記載の発明は、操作装置の操作条件の一部もしくは全てを、被操作装置に提示する機能を有する請求項１に記載の表示装置であり、表示装置の操作装置にどのような操作条件が有るかを被操作装置に知らせることができるという作用を有する。
【００２６】
請求項６に記載の発明は、請求項５に記載の表示装置の提示する操作条件を判定し、操作条件と対応させた表示内容を表示装置に伝達する機能を有する請求項２に記載の被操作装置であり、被操作装置側が表示装置の提示する操作条件から表示装置に要求できる表示の可能性を把握し、操作条件に適合した表示要求にすることができるという作用を有する。
【００２７】
請求項７に記載の発明は、請求項６に記載の被操作装置の表示要求に従って、表示を構成する機能を有する請求項１に記載の表示装置であり、被操作装置の要求した表示内容が表示されるという作用を有する。
【００２８】
請求項８に記載の発明は、選択と決定の機能を操作者に明示するために必要な２個以上の数の操作選択子を持つ請求項３に記載の操作装置であり、被操作装置の要求した表示内容の選択項目を選択し決定する操作を行うことができるという作用を有する。
【００２９】
請求項９に記載の発明は、選択と決定の機能を操作者に明示するために必要な２個以上の数の選択表現を持つ請求項１、４、５または７のいずれかに記載の表示装置であり、被操作装置の要求した表示内容が選択と決定を要求している場合に操作の曖昧さを排除することができるという作用を有する。
【００３０】
請求項１０に記載の発明は、直接的あるいは間接的に情報を伝達する手段を有する請求項１、４、５、７または９のいずれかに記載の表示装置であり、被操作装置との間で直接的あるいは間接的に通信を行うことができるという作用を有する。
【００３１】
請求項１１に記載の発明は、直接的あるいは間接的に情報を伝達する手段を有する請求項２または６に記載の被操作装置であり、表示装置との間で直接的あるいは間接的に通信を行うことができるという作用を有する。
【００３２】
請求項１２に記載の発明は、１以上の複数のランク付けされた表示能力を有する請求項１、４、５、７または９のいずれかに記載の表示装置であり、１以上の複数のランク付けされた表示能力を有する被操作装置との間でランクの整合性を取り、整合性が取れたランク同士で結合された場合には、表示要求を満たす表示内容が表示装置に表現されるという作用を有する。
【００３３】
請求項１３に記載の発明は、１以上の複数のランク付けされた表示要求能力を有する請求項２または６に記載の被操作装置であり、１以上の複数のランク付けされた表示能力を有する表示装置との間でランクの整合性を取り、整合性が取れたランク同士で結合された場合には、表示要求を満たす表示内容が表示装置に表現されるという作用を有する。
【００３４】
請求項１４に記載の発明は、表示能力のランクは、ランクごとに定義される表示の為に用いられ、あるいは参照される表現制約事項を含み、少なくとも２個以上の選択表現を持つ請求項１２に記載の表示装置であり、定義されたランクの下位から順に任意のランクの表示能力を実装することができるという作用を有する。
【００３５】
請求項１５に記載の発明は、表示要求能力のランクは、ランクごとに定義される表示の為に用いられ、あるいは参照される表現制約事項を含み、少なくとも２個以上の選択表現を持つ請求項１３に記載の被操作装置であり、定義されたランクの下位から順に任意のランクの表示要求能力を実装することができるという作用を有する。
【００３６】
請求項１６に記載の発明は、請求項１２に記載の表示装置の表示能力の所有するランクと請求項１３に記載の被操作装置の表示要求能力の所有するランクが、一致するランクであれば、そのランクに基づいた被操作装置の表示要求を満足するように表示可能とする手段を有する表示装置であり、被操作装置の要求する表示内容が表示装置に表示されることを確実にするという作用を有する。
【００３７】
請求項１７に記載の発明は、その所有する表現能力を上回らない範囲で相当の定められたランクの表現能力であることを提示する手段を有する請求項１２または１６に記載の表示装置であり、表示装置が自身の表現能力のランク情報を被操作装置に伝達することができるという作用を有する。
【００３８】
請求項１８に記載の発明は、請求項１７に記載の表示装置の提示する表現力ランクに応じて、表示要求内容を変化させることが可能な請求項２または６に記載の被操作装置であり、被操作装置の表示要求ランクが高く、表示装置の表示能力ランクが低い場合等に、被操作装置の表示要求ランクを下げて表示装置の表示能力ランクにあわせることができるという作用を有する。
【００３９】
請求項１９に記載の発明は、複数の表示要求内容を構成する機能を有する請求項１８に記載の被操作装置であり、被操作装置が表示能力ランクの異なる複数の表示装置と通信で結合された状態で、それぞれの表示装置との間に異なるランクの表示要求を行うことができるという作用を有する。
【００４０】
請求項２０に記載の発明は、操作装置と表示装置とは別に、第２の操作手段を備えた請求項２、６または１９のいずれかに記載の被操作装置であり、被操作装置自身に独自の第２の操作手段を持つことで、通信が成立していない場合や、被操作装置近辺でのＵＩの利便性が向上するという作用を有する。
【００４１】
請求項２１に記載の発明は、選択情報と伝達情報を区別して表示レイアウトするフォームをもつ表示指定機能を備えたランクを備えた請求項１２、１４または１６のいずれかに記載の表示装置であり、表示装置の表示上に選択情報と伝達情報とを分離してレイアウトすることで、例えば内容部が動画などの常にデータが更新される伝達情報の部分と選択キーなどの更新される頻度の少ない選択情報の部分とを効果的に表現することができるという作用を有する。
【００４２】
請求項２２に記載の発明は、請求項１３、１５、１８、１９または２０のいずれかに記載の被操作装置と請求項１２、１４、１６、１７または２１のいずれかに記載の表示装置との間に表示変換装置を配置したユーザーインターフェースシステムであり、表示装置の表示能力が乏しくて、表示装置として十分なＵＩが実現できない場合に、表示装置に代わってＵＩのための表現能力が高い代替装置としての表示変換装置を被操作装置との間に置くことで、表示変換装置と被操作装置との間でランクの整合をとることができるという作用を有する。
【００４３】
請求項２３に記載の発明は、表示変換装置は、被操作装置の表示要求内容ランクと表示装置の表示能力ランクが不整合な場合に表示変換する機能を有する請求項２２記載のユーザーインターフェースシステムであり、被操作装置の表示要求内容ランクと表示装置の表示能力ランクが不整合な場合に、表示変換装置と被操作装置間でランクの整合をとることができるという作用を有する。
【００４４】
請求項２４に記載の発明は、請求項２、３または８のいずれかに記載の操作装置の操作部と請求項１２、１４、１６、１７または２１のいずれかに記載の表示装置の表示部を備えた操作表示装置と、請求項１３、１５、１８、１９または２０のいずれかに記載の被制御装置との間に通信中継装置が配置され、操作表示装置は通信中継装置と通信を行い、通信中継装置は被制御装置と通信を行い、操作表示装置と被制御装置はランク情報を通信中継装置を経由して行うことを特徴とするユーザーインターフェースシステムであり、表示部を備えた操作表示装置が通信の経路に置かれた中継装置を経由して表示変換装置と被操作装置との間でランクの整合をとることができるという作用を有する。
【００４５】
請求項２５に記載の発明は、操作表示装置は移動体通信装置であることを特徴とする請求項２０に記載のユーザーインターフェースシステムであり、表示部を備えた操作表示装置が被操作装置と移動体通信により接続され、通信の経路に置かれた中継装置を経由して表示変換装置と被操作装置間でランクの整合をとることができるという作用を有する。
【００４６】
請求項２６に記載の発明は、通信中継装置が更に複数の通信中継装置を連結して構成されることを特徴とする請求項２４または２５に記載のユーザーインターフェースシステムであり、表示部を備えた操作表示装置が通信の経路に置かれた複数の中継装置を経由して表示変換装置と被操作装置との間でランクの整合をとることができるという作用を有する。
【００４７】
請求項２７に記載の発明は、通信中継装置の少なくとも一つがパーソナルコンピュータであることを特徴とする請求項２４から２６のいずれかに記載のユーザーインターフェースシステムであり、ユーザーインターフェースを代替する本システムを構成する装置群がＰＣと通信で結合されるという作用を有する。
【００４８】
請求項２８に記載の発明は、通信中継装置の少なくとも一つが情報処理装置であることを特徴とする請求項２４から２６のいずれかに記載のユーザーインターフェースシステムであり、ユーザーインターフェースを代替する本システムを構成する装置群が情報処理装置と通信で結合されるという作用を有する。
【００４９】
請求項２９に記載の発明は、通信中継装置の少なくとも一つがセットトップボックスであることを特徴とする請求項２４から２６のいずれかに記載のユーザーインターフェースシステムであり、ユーザーインターフェースを代替する本システムを構成する装置群がセットトップボックスと通信で結合されるという作用を有する。
【００５０】
請求項３０に記載の発明は、通信中継装置の少なくとも一つがホームゲートウェイであることを特徴とする請求項２４から２６のいずれかに記載のユーザーインターフェースシステムであり、ユーザーインターフェースを代替する本システムを構成する装置群がホームゲートウェイと通信で結合されるという作用を有する。
【００５１】
請求項３１に記載の発明は、１以上の複数のランク付けされた表示要求能力を有する被操作装置から情報伝達手段を用いて入手した表示内容を自らの表示部に表示する機能を有するとともに、１以上の複数のランク付けされた表示能力を有し、表示能力のランクと被操作装置の表示要求能力のランクとが一致すれば、そのランクに基づいた被操作装置の表示要求を満足するように表示可能とする手段を有する表示装置であり、１以上の複数のランク付けされた表示能力を有する被操作装置との間でランクの整合性を取り、整合性が取れたランク同士で結合された場合には、表示要求を満たす表示内容が表示装置に確実に表示されるという作用を有する。
【００５２】
請求項３２に記載の発明は、他の機能装置から情報伝達手段を用いて入手した表示内容を自らの表示部に表示する機能を有するとともに、１以上の複数のランク付けされた表示能力を有し、かつその所有する表現能力を上回らない範囲で相当の定められたランクの表現能力であることを提示する手段を有する表示装置に、表示内容を通知する機能を有し、表示装置の提示する表現力ランクに応じて、表示要求内容を変化させることが可能な被操作装置であり、１以上の複数のランク付けされた表示能力を有する表示装置が自身の表現能力のランク情報を被操作装置に伝達することで、被操作装置の表示要求ランクが高く、表示装置の表示能力ランクが低い場合等に、被操作装置の表示要求ランクを下げて表示装置の表示能力ランクにあわせることができるという作用を有する。
【００５３】
請求項３３記載の発明は、他の機能装置から情報伝達手段を用いて入手した表示内容を自らの表示部に表示する機能を有するとともに、１以上の複数のランク付けされた表示能力を有し、かつその所有する表現能力を上回らない範囲で相当の定められたランクの表現能力であることを提示する手段を有し、さらに選択情報と伝達情報を区別して表示レイアウトするフォームをもつ表示指定機能を備えたランクを備えた表示装置に、表示内容を通知する機能を有し、表示装置の提示する表現力ランクに応じて、表示要求内容を変化させることが可能であり、さらに、複数の表示要求内容を構成する機能と、操作装置と表示装置とは別の第２の操作手段とを備えた被操作装置であり、被操作装置の表示要求ランクが高く、表示装置の表示能力ランクが低い場合等に、被操作装置の表示要求ランクを下げて表示装置の表示能力ランクにあわせることができ、また、被操作装置が表示能力ランクの異なる複数の表示装置と通信で結合された状態で、それぞれの表示装置との間に異なるランクの表示要求を行うことができ、また、被操作装置自身に独自の第２の操作手段を持つことで、通信が成立していない場合や、被操作装置近辺でのＵＩの利便性が向上し、また、表示装置の表示上に選択情報と伝達情報とを分離してレイアウトすることで、例えば内容部が動画などの常にデータが更新される伝達情報の部分と選択キーなどの更新される頻度の少ない選択情報の部分とを効果的に表現することができるという作用を有する。
【００５４】
以上により、
（１）従来異なるプラットフォームに基づく機能的に異なる機器間では困難あるいは高度の技術的手段を要求されていたユーザーインターフェースが、内容の制限を有するけれども簡易に確実に実現できる。
【００５５】
（２）表示装置、操作装置、被操作装置、あるいはそれらの複合装置は独自に自己の機能の向上が可能であり、かつその結果として、本ユーザーインターフェースのシステムの根幹には如何なる悪影響も与えない。
【００５６】
（３）表示装置にも被操作装置にもユーザーインターフェースを目的に両社が接続されるために新たなメモリやプログラムは必要としない。
【００５７】
（４）表示装置、被操作装置のいずれの装置も少なくとも最も低いランクに適合するように設計・製造されていれば、代替のユーザーインターフェースを成立させる保証が得られるため、装置の開発が極めて自由になる。
【００５８】
（５）表示装置（ＴＶ等）の操作装置（リモコン等）を使って表示装置（ＴＶ等）経由で被操作装置（オーディオ機器、家電、プリンタ等）へ操作装置の操作情報を伝達することが可能となる。
【００５９】
（６）表示装置（ＴＶ等）の操作装置（リモコン等）にどのような操作条件（キーの種類や数）が有るかを被操作装置に知らせることで、被操作装置側が表示装置に要求できる表示の可能性を把握し、操作条件に適合した表示要求にすることが可能となる。
【００６０】
（７）被操作装置の要求した表示内容が表示されるため、操作装置と表示装置と被操作装置が不整合なく機能する。
【００６１】
（８）操作装置の入力として、主に人間とのインターフェースを可能とし、障害を持つ人々のために開発される各種情報入力機器を使用することが可能となる。
【００６２】
（９）表示装置の出力として、主に人間とのインターフェースを可能とし、障害を持つ人々のために開発される各種情報出力機器を使用することが可能となる。
【００６３】
（１０）表示装置（ＴＶ等）と被操作装置（オーディオ機器、家電、プリンタ等）間で通信を行うことが可能となる。
【００６４】
（１１）表示装置、被操作装置がそれぞれに表示能力ランクと表示要求ランクを持つことで、双方のランクの整合性を取り、整合性が取れたランク同士で結合された場合には、表示要求を満たす表示内容が表示装置に表現される。
【００６５】
（１２）表示装置が自身の表現能力のランク情報を被操作装置に伝達することが可能となる。
【００６６】
（１３）被操作装置の表示要求ランクが高く、表示装置の表示能力ランクが低い場合等に、被操作装置の表示要求ランクを下げて表示装置の表示能力ランクにあわせることが可能となる。
【００６７】
（１４）被操作装置が表示能力ランクの異なる複数の表示装置と通信で結合された状態で、それぞれの表示装置との間に異なるランクの表示要求を行うことが可能となる。
【００６８】
（１５）被操作装置自身に操作パネルなどの独自の操作手段を持つことで、通信が成立していない場合や、被操作装置近辺でのＵＩの利便性が向上する。
【００６９】
（１６）表示装置の表示上に選択情報と伝達情報とを分離してレイアウトすることで、例えば内容部が動画などの常にデータが更新される伝達情報の部分と選択キーなどの更新される頻度の少ない選択情報の部分とを効果的に表現することが可能となる。
【００７０】
（１７）表示装置の表示能力が乏しくて、表示装置として十分なＵＩが実現できない場合に表示装置に代わってＵＩのための表現能力が高い代替装置としての表示変換装置を被操作装置との間に置くことで、表示変換装置と被操作装置との間でランクの整合をとることが可能となる。
【００７１】
（１８）表示部を備えた操作表示装置が被操作装置と例えば遠隔に通信で接続される場合において、通信の経路に置かれた１つもしくは複数の中継装置を経由して表示変換装置と被操作装置との間でランクの整合をとることが可能となる。
【００７２】
（１９）ユーザーインターフェースを代替する本システムを構成する装置群がＰＣやセットトップボックスに代表される家電情報処理装置と通信で結合される。
【００７３】
以下、本発明の実施の形態について、図面を参照しながら説明する。
【００７４】
図１は本発明の実施の形態におけるＵＩシステムのブロック図である。
【００７５】
図１に示すＵＩシステムは、テレビジョン（ＴＶ）等に代表される表示装置１０１と、リモートコントローラ（以下、「リモコン」と称す。）に代表される操作装置１０３と、オーディオ機器、冷蔵庫やプリンタ等に代表される被操作装置１０２と、表示装置１０１と操作装置１０３との間を接続する情報伝達手段１０５と、表示装置１０１と被操作装置１０２との間を接続する情報伝達手段１０４とから構成される。
【００７６】
ここで、情報伝達手段１０４，１０５については、手法を限定しないが、本実施の形態においては、情報伝達手段１０４は米国電気電子学会（ＩＥＥＥ：Ｉｎｓｔｉｔｕｔｅ  ｏｆ  Ｅｌｅｃｔｒｉｃａｌ  ａｎｄ  ＥｌｅｃｔｒｏｎｉｃＥｎｇｉｎｅｅｒｓ）のＩＥＥＥ１３９４規格に基づくものである。情報伝達手段１０５は、赤外線リモコンを用いた家電協コードに基づくものである。
【００７７】
また、図１において被操作装置１０２が複数記載されているが、本発明の主旨が表示装置１０１と操作装置１０３と被操作装置１０２との３つの機能装置間に関するものなので、共に１０２という共通番号を付記している。また、情報伝達手段１０４が複数の装置間の通信を可能とするものであれば、図１には記載されていない複数の表示装置１０１が存在し得る。同様に、情報伝達手段１０５及び操作装置１０３に関しても上述の意に添えば、複数の操作装置１０３が存在し得る。
【００７８】
図２は図１の表示装置１０１の構成図である。
【００７９】
図２に示すように、表示装置１０１は、処理用のＣＰＵ（中央処理装置）２０１と、プログラム２０４と、プログラム作業用のワークメモリ２０５と、表示部２０２と、情報伝達手段１０５により通信するリモコンＩＦ部２０６と、情報伝達手段１０４により通信する通信部２０３と、各部を接続する接続部とで構成される。表示の為の表示メモリは、本実施の形態ではワークメモリ２０５に含めるものとするが、いわゆる表示装置の構成は多岐に亘るので、表示メモリが表示部２０２に含まれたり、表示専用素子（ＬＳＩ）等に含まれたりする場合等を本実施の形態の適用外としているわけではない。
【００８０】
図３は図１の被操作装置１０２の構成図である。
【００８１】
図３に示すように、被操作装置１０２は、処理用のＣＰＵ３０１と、プログラム３０２と、プログラム作業用のワークメモリ３０３と、入出力部３０４と、情報伝達手段１０４により通信する通信部３０５と、各部を接続する接続部とで構成される。
【００８２】
本実施の形態では被操作装置１０２は特に機器の種類を特定していない。それ故に入出力部３０４は特定の入出力を規定していない。
【００８３】
図４は図１の操作装置１０３の構成図である。
【００８４】
図４に示すように、操作装置１０３は、操作部である操作キー４０１と、キー入力をコードに変換するエンコーダ部４０２と、情報伝達手段１０５により通信する為のコードを光に変換する発光素子からなる通信部４０３とからなる。
【００８５】
図５は本発明の実施の形態における操作装置の操作キーの構成図である。
【００８６】
本実施の形態では操作装置１０３として簡略したものを図示している。図５に示すように操作キー４０１は、選択と決定の機能を操作者に明示するために必要な操作選択子であって、選択手段としての方向キー５０１と、意思決定手段としての決定キー５０２と、意思解除（キャンセル）手段としての解除キー５０３とからなる。一般に見受けられるリモコン等のように、数字キー、機能設定／選択キーや、携帯電話などのキー部に見られる文字入力キーなどを備えることを制限するものではない。
【００８７】
図６は、本発明の実施の形態におけるＵＩシステムの操作説明図であり、上述の各機能装置（表示装置１０１、被操作装置１０２、操作装置１０３、及び情報伝達手段１０４，１０５）からなるＵＩシステムの操作説明である。
【００８８】
なお、説明の簡略化のために以下を定義する。
【００８９】
１）通信の具体的手法や詳細は記述しない。
【００９０】
２）操作者６０１は人とする。
【００９１】
３）操作装置１０３はリモコンとする。
【００９２】
４）表示装置１０１はＴＶとする。
【００９３】
５）被操作装置１０３はプリンタとする。
【００９４】
人がＴＶを見ながらリモコンを操作するというシーンは極めてありふれたシーンである。人がリモコンを操作（Ａ１）すると、リモコン（操作装置１０３）からＴＶ（表示装置１０１）へ情報（Ｔ１）が送られてＴＶの画面が変わり、画面（Ｖ１）が人に表現される。または、プリンタ（被操作装置１０２）が何らかの表示要求（Ｆ１）をＴＶ（表示装置１０１）に送ると、ＴＶの画面が変わり、画面（Ｖ１）が人に表現される。画面（Ｖ１）は以下の説明の簡便さのために、メニュー画面と表現することにする。
【００９５】
図２４にメニュー画面の一例を示す。メニュー画面という手法は汎用化しており、多くの具現化された表示装置１０１の表示画面に現れるものである。その用途は主として、対象とする装置の機能の変更や設定、ヘルプ機能や通信網の機器表示等、多岐にわたっている。本実施の形態では、ＴＶ（表示装置１０１）と情報伝達手段１０４で接続されたプリンタ（被操作装置１０２）を明示するような意味を持つ表示例を図示している。図２４は、本発明の実施の形態における表示装置のメニュー画面例を示す図であり、プリンタ（被操作装置１０２）がＰＴＲアイコン２４０１としてハイライト表現されている様子を示している。
【００９６】
さて、メニュー画面からＰＴＲアイコン２４０１を選択してリモコン（操作装置１０３）の決定キー５０２を押す操作（Ａ２）を行うと、前述同様に通信（Ｔ２）を経てＴＶ（表示装置１０１）に情報が送られる。ここで、ＴＶとプリンタは、図７のランク調停フローチャートに示す手順で、本発明の主たる要素であるＵＩ貸し出し機能を実現する。
【００９７】
図７を説明する前に、以降の理解を容易にするために図８を用いて通信データ構造を説明する。ＴＶとプリンタの間で通信が行われていることは前述したが、その通信データ８０１の中には、ネゴシエーションコード８０２を含んでいる。ネゴシエーションコード８０２はネゴシエーションコードの内容８０３に示すように、ＵＩ規格Ｖｅｒ（バージョン）情報と装置属性情報と装置ランク情報とを含んでいる。ＵＩ規格Ｖｅｒ情報は、本発明が広範囲の装置間で使用されることを想定した場合に、内容の進化、修正が発生することが想定されるため、予め、装置仕様の規格内容を明確に判別できるようにするものである。装置属性情報は、本発明における３つの機能装置である表示装置１０１、操作装置１０３、被操作装置１０２のいずれかまたは複合した機能を含有していることを示すものである。装置ランク情報は、前記機能がそれぞれどのランクの機能を所有しているかを示すものである。
【００９８】
ランクの説明のために、図９は本発明の実施の形態におけるランク１の表示構成例を示す図である。本実施の形態では、ランク１を以下のように定義する。
【００９９】
１）選択ボタンと相対する内容表現で構成。
【０１００】
２）選択ボタン数：Ｎ  （Ｎ＜９）  （注：９に特別な意味は無い）
３）内容表現：英数字、ひらがな、カタカナ
４）内容文字数：Ｍ  （Ｍ＜２０）  （注：２０に特別な意味は無い）
ランク１の表示は、選択ボタンを表示する選択情報表示領域９０１と、それに相対する表示内容を表示する伝達情報表示領域９０２とで基本構成される。
【０１０１】
図１０に本発明の実施の形態における表示装置と被制御装置間の表示データ構造を示す図を示す。
【０１０２】
図１０に示すように通信フォームの中には、表示関連情報部１００１を含む。本実施の形態では、表示関連情報部１００１の構成は、選択情報部１００２と伝達情報部１００３とが組み合わされた１組のデータブロックを選択数分持つ形である（通信パケットのサイズ制約により、データのブロックを選択数分全て一つの通信パケットに組み込むと言う意味ではない）。
【０１０３】
図１１に本発明の実施の形態におけるランク１の表示例を示す図を示す。
【０１０４】
図１１に示す表示例は、選択ボタン１１０１と内容部１１０２との計６組で構成されている。この表示例では文字は英語を使っている。
【０１０５】
図１２に本実施の形態におけるランク２の表示例を示す図である。本実施の形態では、ランク２を以下のように定義する。
【０１０６】
１）選択ボタンと相対する内容で構成。
【０１０７】
２）選択ボタン数Ｎ  （Ｎ＜９）  （注：９に特別な意味は無い）
３）内容  英数字、ひらがな、カタカナ、グラフィック
４）文字数Ｍ  （Ｍ＜２０）  （注：２０に特別な意味は無い）
ランク２の表示は、選択ボタン１２０１と、各選択ボタン１２０１に対応するグラフィック１２０２と、前述のクラス１同様の文字表現内容１２０３とで構成される。本実施の形態では、グラフィック１２０２のイメージの仕様としてサイズ（Ｘ：１５０ピクセル、Ｙ：１００ピクセル）、色（ＲＧＢ表現で４：４：４）を用いている。
【０１０８】
上のランク１，２の概略説明を踏まえて、図７のフローチャートの説明に戻る。
【０１０９】
図７のステップＳ１で、ＴＶ（表示装置１０１）はプリンタ（被操作装置１０２）に、表示ランク情報（Ｆ２）を送信する（図６参照）。仮に、ＴＶ側が上述のランク２（グラフィック表示可能）をプリンタ側に送ったとする。プリンタがランク２を処理できない場合、もしくはランク２が不要な場合には、ランクの変更に関する調整が必要になる。
【０１１０】
ＴＶとプリンタのランクの調停のためのネゴシエーションフェーズが、図６のネゴシエーション（Ｆ３）である。図７のステップＳ２で、ＴＶとプリンタのランクのネゴシエーションが合意されたらステップＳ３に移行するが、ネゴシエーションが不成立の場合はステップＳ１０，Ｓ１１と進み、ＴＶ側がランクを下げて、再度ステップＳ１からの手順を行う。仮に、ＴＶとプリンタでランク１で合意が取れたとすれば、図７ステップＳ３，Ｓ４と進み、ＴＶはプリンタに表示フォーム形式の送信を行う。表示フォーム形式とは、図９の説明時に記載した選択数（選択ボタンを一度に表示できる数：Ｎの最大値）と内容（文字数Ｍの最大値）である。
【０１１１】
ここで表示フォーム形式を定義した理由を述べる。前述のようにランクと言う概念は装置間のＵＩ表示を保証するための手法であるから、当然のごとく表示フォーム形式に変更可能な規定数値が含まれることは好ましくない。しかしながら、数値を固定することによる弊害も同時に懸念される。例えば、装置が技術の進歩に伴って変わっていくときに、表示装置１０１側の表示能力も向上していくからである。すなわち、同時に被操作機器側も、この向上した表示装置１０１の表現能力を活用したいケースも出てくると考えられるからである。本実施の形態ではランク１で保証する表示フォーム形式に、一つの歯止めをかけている。ここで主張したいのは、表示装置１０１側がランク１で表現できるフォームの形式を拡張して提示することは許されるが、前述のランク１での最低限表示を可能とするために規定した表示フォーム形式よりも表示能力が下回るものを提示してはならないということである。
【０１１２】
さて、図７のステップＳ５で、プリンタ（被操作装置１０２）は表示用のデータ（図６のＦ４）をＴＶ（表示装置１０１）に送信する。ここで、ＴＶはランク１であることが合意されているので、表示画面を形成する処理を行う必要がある。以降の説明のために各装置の構成と機能を詳述する。
【０１１３】
図１１に例示したような形式の表示を行うための本実施の形態における表示装置１０１のＵＩ機能構成を図１３に示す。図１３において、表示装置１０１は、表示位置管理機能１３０１と、操作機器情報管理機能１３０２と、操作キーと表示ボタンの対応付け機能１３０３と、基本レイアウトパターン１３０４と、送受信機能１３０５と、表示資源１３０６とを有している。以下、図５、図１４、図１８および図２０を用いて各機能を説明する。
【０１１４】
表示位置管理機能１３０１は、図１４に示すように表示装置１０１の表示部２０２の中にメニュー表示領域１４０１として場所を確保する機能である。メニュー表示領域１４０１は、ランク１の基本表示形式である図９に基づく表示形式を備える。操作機器情報管理機能１３０２は、図５に示すように、操作装置１０３がどのような操作を前提とした操作部位（方向キー５０１、決定キー５０２、解除キー５０３など）を備えているかを管理する。操作キーと表示ボタンの対応付け機能１３０３は、図２０に示すように操作キーと表示ボタンの関連付けを行うものである。
【０１１５】
ここで、関連付けとは以下のようなことである。リモコン等の操作装置１０３は通常はＴＶ等の表示装置１０１の付属装置であることが多く、更には機器メーカーごとに社内で標準化された仕様を持つことが多い。つまり、表示装置１０１は、操作装置１０３がどのような操作部位を所有しているかを、かなりの確度で把握可能である。そこで、表示装置１０１は、ＵＩの視点に立てば、操作装置１０３の操作部位表示と合った表現をした方が、操作者により良い使いやすさを提供できるはずである。図２０では、操作装置１０３に（Ａ，Ｂ，Ｃ，Ｄ・・・）という操作部位が有って、（１，２，３，４・・）という操作部位がない場合に、本実施の形態でランク１の標準的な表示フォームである選択ボタン表現２００２（１，２，３，４・・）を表示装置１０１が表示するよりも、１をＡに、２をＢにというように対応付けを行った管理手段を設けることで操作装置１０３と表示装置１０１の表現を合わせた選択ボタン表現２００１（Ａ，Ｂ，Ｃ，Ｄ・・・）を表示装置１０１が表示する。つまり、ステップＳ２０１で、操作者は表示装置１０１が表示している選択項目の中のＡを選択する為に操作装置１０３のＡキーを押す。ステップＳ２０２で、表示装置１０１はＡ＝１という対応を行って、ステップＳ２０３で、被操作装置１０２に“操作者がキー１を押した”という主旨の情報を送信する。つまり、表示装置１０１と被操作装置１０３と間で通信される情報の意味は、１は１、２は２のままである。
【０１１６】
基本レイアウトパターン１３０４は、図１１や図１２に示したランクごとの表現形式のことである。送受信機能１３０５は、本実施の形態で使用している情報伝達手段１０４のベースとなるもので詳細な説明は省略する。表示資源１３０６とは、図１８および図１９に示すように、内容に文字が有れば対応する文字表現のための文字フォントや色を管理する手段であり、更には、データが圧縮されている場合（ＪＰＥＧなど）などにそれを伸張する手段を指している。
【０１１７】
さて、ＴＶ（表示装置１０１）が図６の表示用のデータ（Ｆ４）を上述のように画面表示（Ｖ２）（例えば、図１１を参照。）として操作者６０１に提示する（図７のステップＳ７）と、操作者６０１はリモコン（操作装置１０３）のボタンを操作して何れかの選択を決定するリアクション（Ａ３）を行う（図７のステップＳ８）。リモコン（操作装置１０３）は、リアクション（Ａ３）を通信データ（Ｔ３）に変えてＴＶ（表示装置１０１）に送信する（図７のステップＳ９）。ＴＶ（表示装置１０１）は、前述の操作キーと表示ボタンの対応付け機能１３０３を用いて、適切なリアクション情報（Ｆ５）をプリンタ（被操作装置１０２）に伝達する。プリンタ（被操作装置１０２）はリアクション情報（Ｆ５）の内容を判読して新たな内容（Ｆ６）をＴＶ（表示装置１０１）に送信する。
【０１１８】
ところで、図７のステップＳ６ではＵＩ処理の終了判定を行っているが、説明の流れから、内容（Ｆ６）には表示内容以外にＵＩ行為自体の状態を変化させるための制御コマンド類を含んでいるものとする。制御コマンドの一例としては、ＵＩ操作自体を終了する旨の通知を被操作装置１０２が表示装置１０１に送り、表示装置１０１は対応する被操作装置１０２とのＵＩジョブを終了させる終了コマンド（図７のステップＳ６，Ｓ１２，Ｓ１３）や、表示ランクの変更を途中で行うためのランク変更コマンドなどである。
【０１１９】
例えば、図１７に示すようにランク１の文字表示１７０１からランク２のグラフィック表示１７０２に切り換えたいと被操作装置１０２側が所望する場合、図１６に示すように処理フローを改良し、制御コマンド判定のための判定ステップＳ１４を追加し、さらに表示ランク変更判定ステップＳ１５を追加することで、表示装置１０１と被操作装置１０２の間で合意が取れる範囲内で自由な表現に移行できる。
【０１２０】
図１５は被操作装置１０２のＵＩ機能構成を示している。上述したように表示装置１０１と被操作装置１０２はランクのネゴシエーションを行うことで、表示と操作とそれによって操作される物という３者間の相互接続性が構築されている。
【０１２１】
次に、被操作装置１０２側の視点で説明を行うことにする。
【０１２２】
図１５において、被操作装置１０２は、文字コードやグラフィックのイメージデータを格納する表示内容格納部１５０１と、表示要求に対して操作者からのリアクション情報に対して次の表示内容等を管理するＵＩ管理機能１５０２と、表示装置１０１とランクの調停を行うランク調停機能１５０３と、表示装置１０１の表現能力ランク（ランクと表示フォーム形式）に応じて表示内容を修飾する修飾機能１５０４と、要求表示量の適正化機能１５０５と、要求表示をランクに合わせて適切に通信情報のフォームに組み込む要求表示フォーム化機能１５０６と、送受信機能１５０７とを有する。ちなみに被操作装置１０２本来の機能（プリント機能等）は従来と同様であるため、本説明では不要であり、説明図には記載していない。
【０１２３】
図２１、図２２および図２３は、本発明における応用例である。
【０１２４】
図２１は表示装置１０１がＴＶ、操作装置１０３がＴＶ付属のリモコン、被操作装置１０２がインテリジェントな冷蔵庫である。
【０１２５】
図２２は表示装置１０１と被操作装置１０２との間の情報伝達手段１０４が無線の場合を示している。
【０１２６】
図２３は表示装置１０１と操作装置１０３が携帯電話やＰＤＡ（パーソナル・デジタル・アシスタント）機器などの同一の装置内に組み込まれた例を示している。携帯電話やＰＤＡ（機器は、主に情報伝達手段１０４としての無線通信手段によって中継・表示変換装置２３０１を経由して複数の被操作装置１０２と接続される。
【０１２７】
なお、中継・表示変換装置２３０１は図２３では一つの構成装置として記載したが、中継機能という側面から、実際には複数の中継装置から構成されても良い。加えて、表示変換機能という側面から、中継・表示変換装置２３０１は表示装置１０１の機能を内在させても良い。更には、表示変換機能を前記複数の中継装置の中の少なくとも一つの中継装置に内在させても良い。
【０１２８】
例えば、図２３の構成を平易に表現するならば、携帯電話と通信を行う通信網（第１の中継装置）から家庭の通信の入り口となる例えばＡＤＳＬ（Ａｓｙｍｍｅｔｒｉｃ  Ｄｉｇｉｔａｌ  Ｓｕｂｓｃｒｉｂｅｒ  Ｌｉｎｅ；非対称デジタル加入者線）通信端末（第２の中継装置）を経て、ＰＣ（第３の中継装置であり、かつ表示変換可能な情報処理装置）から家庭内のネットワークに接続する情報伝達手段１０４、例えばイーサネット（Ｒ）、ＩＥＥＥ１３９４（Ｈａｖｉなど）、Ｂｌｕｅｔｏｏｔｈ（ブルートゥース）、電力線通信等の通信手段を通じて複数の被操作装置１０２が有機的に接続されていることを表している。このように一見複雑に思える接続形式においても、操作者に表示を提供する手段（表示装置１０１）と操作を提供する手段（操作装置１０３）と操作の結果を反映する被操作装置１０２とからなる３者の構成が成立し、ランクという概念で統一されるＵＩシステムを構築することが可能である。
【０１２９】
【発明の効果】
本発明により、以下の効果を奏することができる。
【０１３０】
本発明の表示装置は、他の機能装置から情報伝達手段を用いて入手した表示内容を自らの表示部に表示する機能を有する構成としたものである。
【０１３１】
本発明によれば、異なるシステムと異なるプラットフォームで設計された機器間のユーザーインターフェースに関する部分を容易に実現することが可能となる。
【図面の簡単な説明】
【図１】本発明の実施の形態におけるＵＩシステムのブロック図
【図２】図１の表示装置の構成図
【図３】図１の被操作装置の構成図
【図４】図１の操作装置の構成図
【図５】本発明の実施の形態における操作装置の操作キーの構成図
【図６】本発明の実施の形態におけるＵＩシステムの操作説明図
【図７】本発明の実施の形態におけるＵＩシステムの動作フローチャート
【図８】本発明の実施の形態における表示装置と被制御装置間の通信データ構造を示す図
【図９】本発明の実施の形態におけるランク１の表示構成例を示す図
【図１０】本発明の実施の形態における表示装置と被制御装置間の表示データ構造を示す図
【図１１】本発明の実施の形態におけるランク１の表示例を示す図
【図１２】本発明の実施の形態におけるランク２の表示例を示す図
【図１３】本発明の実施の形態における表示装置のＵＩ機能構成を示す図
【図１４】本発明の実施の形態における表示装置の機能説明図
【図１５】本発明の実施の形態における被操作装置のＵＩ機能構成を示す図
【図１６】本発明の実施の形態におけるＵＩシステムの改良された動作フローチャート
【図１７】ランク切り換えによる階層表示例を示す図
【図１８】本発明の実施の形態における表示装置による文字表現例を示す図
【図１９】本発明の実施の形態における表示装置によるグラフィック表現例を示す図
【図２０】操作キーと表示ボタンの対応付け機能の具体例を示す図
【図２１】本発明の実施の形態におけるＵＩシステムの接続例１を示す図
【図２２】本発明の実施の形態におけるＵＩシステムの接続例２を示す図
【図２３】本発明の実施の形態におけるＵＩシステムの接続例３を示す図
【図２４】本発明の実施の形態における表示装置のメニュー画面例を示す図
【図２５】従来の機器操作プログラム組み入れ方式の説明図
【符号の説明】
１０１  表示装置
１０２  被操作装置
１０３  操作装置
１０４  情報伝達手段
１０５  情報伝達手段
２０１  ＣＰＵ
２０２  表示部
２０３  通信部
２０４  プログラム
２０５  ワークメモリ
２０６  リモコンＩＦ部
３０１  ＣＰＵ
３０２  プログラム
３０３  ワークメモリ
３０４  入出力部
３０５  通信部
４０１  操作キー
４０２  エンコーダ部
４０３  通信部
５０１  方向キー
５０２  決定キー
５０３  解除キー
６０１  操作者
８０１  通信データ
８０２  ネゴシエーションコード
８０３  ネゴシエーションコードの内容
９０１  選択情報表示領域
９０２  伝達情報表示領域
１００１  表示関連情報部
１００２  選択情報部
１００３  伝達情報部
１１０１  選択ボタン
１１０２  内容部
１２０１  選択ボタン
１２０２  グラフィック
１２０３  文字表現内容
１３０１  表示位置管理機能
１３０２  操作機器情報管理機能
１３０３  操作キーと表示ボタンの対応付け機能
１３０４  基本レイアウトパターン
１３０５  送受信機能
１３０６  表示資源
１４０１  メニュー表示領域
１５０１  表示内容格納部
１５０２  ＵＩ管理機能
１５０３  ランク調停機能
１５０４  修飾機能
１５０５  要求表示量の適正化機能
１５０６  要求表示フォーム化機能
１５０７  送受信機能
１７０１  ランク１の文字表示
１７０２  ランク２のグラフィック表示
２００１  選択ボタン表現
２００２  選択ボタン表現
２３０１  中継・表示変換装置
２４０１  ＰＴＲアイコン
Ａ１〜Ａ４  操作者による操作装置に対するリアクション
Ｆ１〜Ｆ８  表示装置と被操作装置間の通信
Ｔ１〜Ｔ４  操作装置から表示装置への通信
Ｖ１〜Ｖ３  表示装置の表示画面
【図１】
2004201215.tif 000003
【図２】
2004201215.tif 000004
【図３】
2004201215.tif 000005
【図４】
2004201215.tif 000006
【図５】
2004201215.tif 000007
【図６】
2004201215.tif 000008
【図７】
2004201215.tif 000009
【図８】
2004201215.tif 000010
【図９】
2004201215.tif 000011
【図１０】
2004201215.tif 000012
【図１１】
2004201215.tif 000013
【図１２】
2004201215.tif 000014
【図１３】
2004201215.tif 000015
【図１４】
2004201215.tif 000016
【図１５】
2004201215.tif 000017
【図１６】
2004201215.tif 000018
【図１７】
2004201215.tif 000019
【図１８】
2004201215.tif 000020
【図１９】
2004201215.tif 000021
【図２０】
2004201215.tif 000022
【図２１】
2004201215.tif 000023
【図２２】
2004201215.tif 000024
【図２３】
2004201215.tif 000025
【図２４】
2004201215.tif 000026
【図２５】
2004201215.tif 000027